(57)【要約】      （修正有）【課題】子機に接続される外部機器への電源供給及び当該親機からの動作制御を行い、外部機器の状態を親機に通知する。【解決手段】子機１の子機ＣＰＵ１１７及び親機２の親機ＣＰＵ２１７間で変復調されて送受信される呼出信号や応答信号、子機のカメラ１０１にて撮像され変復調されて親機のモニタ２０１に表示される映像信号、子機の子機マイク１０２及び子機スピーカ１０３と親機の親機マイク２０２及び親機スピーカ２０３との間で変復調されて送受信される音声信号のそれぞれの信号伝送路、親機の親機電源回路２１５から子機の子機整流回路１１５への電源供給路である子機／親機ラインＬ1を利用して、子機／外部ラインＬ2を経由して子機に接続される外部機器３への電源供給を行い、親機の親機ＣＰＵにて生成される外部機器制御信号を伝送させ当該外部機器の動作制御を行うとともに、外部機器の状態を示す外部機器状態信号を親機の親機ＣＰＵに送出する。【選択図】図２
2012119746.tif 000002
【特許請求の範囲】
【請求項１】
玄関、エントランス等の屋外に設置される子機（１）から子機・親機ライン（Ｌ1）を経由して接続され室内に設置される親機（２）を呼出し、前記呼出しに応答した前記親機の親機マイク（２０２）及び親機スピーカ（２０３）と前記子機の子機マイク（１０２）及び子機スピーカ（１０３）との間で前記子機・親機ラインを経由して音声信号を送受信して通話を成立させるとともに、前記子機のカメラ（１０１）にて撮像された映像信号を前記子機・親機ラインを経由して前記親機に送出してモニタ（２０１）に表示するテレビドアホン装置であって、
前記子機と同様に前記屋外又は前記親機と同様に前記屋内に設置される外部機器（３）が子機・外部ライン（Ｌ2）を経由して前記子機に接続され、
前記親機には、前記応答のための操作又は前記外部機器を動作制御するための操作が行われる親機操作部（２００）と、前記親機操作部の操作を検出して応答信号又は外部機器制御信号を生成し前記子機・親機ラインに送出するための親機ＣＰＵ（２１７）と、商用電源（４）から得られる直流電源をもとに前記親機の動作電源を生成するとともに前記直流電源を前記子機・親機ラインを経由して前記子機に供給するための親機電源回路（２１５）とを備え、
前記子機には、前記呼出しのために操作する子機操作部（１００）と、前記子機操作部の操作を検出して呼出信号を生成し前記子機・親機ラインに送出するとともに前記子機・親機ラインを経由して前記親機から伝送されてくる前記応答信号又は前記外部機器制御信号を受信するための子機ＣＰＵ（１１７）と、前記子機・親機ラインを経由して前記親機から供給されてくる前記直流電源を受電し、子機電源回路（１１６）から供給させる前記子機の動作電源を生成するとともに前記子機・外部ラインを経由して前記外部機器の動作電源として供給するための子機整流回路（１１５）とを備え、
前記外部機器には、前記子機・外部ラインを経由して前記子機の前記子機ＣＰＵから伝送されてくる前記外部機器制御信号を受信するための外部ＣＰＵ（７３）を備えることを特徴とするテレビドアホン装置。
【請求項２】
前記親機には、前記親機ＣＰＵにて生成された前記応答信号又は前記外部機器制御信号を変調して前記子機・親機ラインに送出するための親機制御変調回路（２１１）と、前記子機・親機ラインを経由して前記子機から伝送されてくる前記呼出信号又は前記外部機器から前記子機を介し前記子機・親機ラインを経由して伝送されてくる外部機器状態信号を復調して前記親機ＣＰＵに送出するための親機制御復調回路（２１３）とを備え、
前記子機には、前記子機ＣＰＵにて生成された前記呼出信号又は前記外部機器から前記子機ＣＰＵを経由して伝送されてくる前記外部機器状態信号を変調して前記子機・親機ラインに送出するための子機制御変調回路（１１０）と、前記子機・親機ラインを経由して前記親機から伝送されてくる前記応答信号又は前記外部機器制御信号を復調して前記子機ＣＰＵに送出するための子機制御復調回路（１１２）とを備えることを特徴とする請求項１記載のテレビドアホン装置。
【発明の詳細な説明】
【技術分野】
【０００１】
本発明は、テレビドアホン装置に係り、特に、子機及び親機間を接続する伝送路を利用して、子機に接続される外部機器への電源供給及び当該外部機器の動作を制御することができるテレビドアホン装置に関する。
【背景技術】
【０００２】
従来から、玄関に設けられたカメラの照明のための門灯の点灯、消灯を自動的に制御できるビデオドアホンが開示されている（例えば、特許文献１を参照。）。
【０００３】
このビデオドアホンによれば、玄関機のカメラで撮像された画像信号の輝度を調整するＡＧＣ増幅器から出力されるＡＧＣ増幅信号が、点灯・消灯制御回路に入力された場合、点灯・消灯制御回路から門灯に電源を供給させるようにしたため、門灯はカメラが動作した後でなければ点灯されず、しかも、撮像される画像の輝度が十分でない時のみ点灯され、電力の浪費を防止できる。
【先行技術文献】
【特許文献】
【０００４】
【特許文献１】特開平９−２３８３２８号公報
【発明の概要】
【発明が解決しようとする課題】
【０００５】
しかしながら、背景技術に記載した特許文献１のビデオドアホンによれば、門灯を点灯・消灯させるための回路を制御機に設ける必要があり、この制御機は、玄関機及び居室機と別途に設けられるため、システム／装置全体の構成や配線が煩雑となる難点があった。
【０００６】
また、門灯を点灯させるためには、制御機に接続される電源からの電源供給が必要であり、この電源は門灯用の当該電源であるため、玄関機及び居室機それぞれの動作電源は、制御機に接続される電源とは別途に設ける必要があり、施工コストが増大する難点があった。
【０００７】
本発明は、これらの難点を解消するためになされたもので、子機及び親機間の信号伝送路、親機から子機への電源供給路である伝送路を利用して、子機に接続される外部機器への電源供給及び当該親機からの動作制御を行うとともに、外部機器の状態を親機に通知することができるテレビドアホン装置を提供することを目的としている。
【課題を解決するための手段】
【０００８】
前述の目的を達成するため、本発明の第１の態様であるテレビドアホン装置は、玄関、エントランス等の屋外に設置される子機から子機・親機ラインを経由して接続され室内に設置される親機を呼出し、呼出しに応答した親機の親機マイク及び親機スピーカと子機の子機マイク及び子機スピーカとの間で子機・親機ラインを経由して音声信号を送受信して通話を成立させるとともに、子機のカメラにて撮像された映像信号を子機・親機ラインを経由して親機に送出してモニタに表示するテレビドアホン装置であって、子機と同様に屋外又は親機と同様に屋内に設置される外部機器が子機・外部ラインを経由して子機に接続されている。親機には、応答のための操作又は外部機器を動作制御するための操作が行われる親機操作部と、親機操作部の操作を検出して応答信号又は外部機器制御信号を生成し子機・親機ラインに送出するための親機ＣＰＵと、商用電源から得られる直流電源をもとに親機の動作電源を生成するとともに直流電源を子機・親機ラインを経由して子機に供給するための親機電源回路とを備えている。子機には、呼出しのために操作する子機操作部と、子機操作部の操作を検出して呼出信号を生成し子機・親機ラインに送出するとともに子機・親機ラインを経由して親機から伝送されてくる応答信号又は外部機器制御信号を受信するための子機ＣＰＵと、子機・親機ラインを経由して親機から供給されてくる直流電源を受電し、子機電源回路から供給させる子機の動作電源を生成するとともに子機・外部ラインを経由して外部機器の動作電源として供給するための子機整流回路とを備えている。外部機器には、子機・外部ラインを経由して子機の子機ＣＰＵから伝送されてくる外部機器制御信号を受信するための外部ＣＰＵを備えている。
【０００９】
また、本発明の第２の態様であるテレビドアホン装置は、本発明の第１の態様において、親機には、親機ＣＰＵにて生成された応答信号又は外部機器制御信号を変調して子機・親機ラインに送出するための親機制御変調回路と、子機・親機ラインを経由して子機から伝送されてくる呼出信号又は外部機器から子機を介し子機・親機ラインを経由して伝送されてくる外部機器状態信号を復調して親機ＣＰＵに送出するための親機制御復調回路とを備えている。子機には、子機ＣＰＵにて生成された呼出信号又は外部機器から子機ＣＰＵを経由して伝送されてくる外部機器状態信号を変調して子機・親機ラインに送出するための子機制御変調回路と、子機・親機ラインを経由して親機から伝送されてくる応答信号又は外部機器制御信号を復調して子機ＣＰＵに送出するための子機制御復調回路とを備えている。
【発明の効果】
【００１０】
本発明のテレビドアホン装置によれば、子機の子機ＣＰＵ及び親機の親機ＣＰＵ間で変復調されて送受信される呼出信号や応答信号、子機のカメラにて撮像され変復調されて親機のモニタに表示される映像信号、子機の子機マイク及び子機スピーカと親機の親機マイク及び親機スピーカとの間で変復調されて送受信される音声信号のそれぞれの信号伝送路、親機の親機電源回路から子機の子機整流回路への電源供給路である子機・親機ラインを利用して、子機・外部ラインを経由して子機に接続される外部機器へ電源供給を行い、親機の親機ＣＰＵにて生成される外部機器制御信号を伝送させ当該外部機器の動作制御を行うとともに、外部機器の状態を示す外部機器状態信号を親機の親機ＣＰＵに送出することができる。これにより、外部機器専用の電源や当該外部機器を制御する制御機等の別途のシステムが不要となり、装置全体の構成や配線の簡素化が図られるばかりでなく、施工コストを低減させることができる。
【図面の簡単な説明】
【００１１】
【図１】図１は、本発明の実施例によるテレビドアホン装置の全体構成図である。
【図２】図２は、本発明の実施例によるテレビドアホン装置の具体的な構成を示すブロック図である。
【発明を実施するための形態】
【００１２】
以下、本発明のテレビドアホン装置を適用した最良の実施の形態例について、図面を参照して説明する。
【００１３】
図１は、本発明の実施例によるテレビドアホン装置の全体構成図である。このテレビドアホン装置には、玄関、エントランス等の屋外に設置される子機１と、居室に設置され子機・親機ラインＬ1を介して子機１に接続される親機２と、子機１と同様に屋外又は親機２と同様に屋内に設置され、子機・外部ラインＬ2を介して当該子機に接続される外部機器をなす門灯３と、親機２に接続される商用電源４とで構成されている。
【００１４】
同図に示す子機１には、子機操作部１００、カメラ１０１、子機マイク１０２及び子機スピーカ１０３が備えられている。
【００１５】
この子機１において、子機操作部１００は、玄関、エントランス等の屋外に居る来訪者が屋内に在室中の居住者を呼出すために操作するものであり、例えば、呼出ボタンにて構成されている。また、カメラ１０１は、呼出操作を行った来訪者や屋外における子機１の周囲近傍の映像（監視映像を含む。）信号を撮像するためのものであり、例えば、ＣＣＤ、ＣＭＯＳ等の各種の映像撮像媒体にて構成されている。さらに、子機マイク１０２及び子機スピーカ１０３は、来訪者が居住者との間で通話を成立させるための音声信号を送受信するものである。
【００１６】
また、同図に示す親機２には、親機操作部２００、モニタ２０１、親機マイク２０２及び親機スピーカ２０３が備えられている。
【００１７】
この親機２において、親機操作部２００は、居住者が来訪者からの呼出しに応答して親機マイク２０２及び親機スピーカ２０３の使用による通話を開始する応答操作又は当該通話を終了するための終話操作や、居住者が門灯３を点灯又は消灯するための操作等を行うものであり、例えば、通話ボタン、照明ボタンやタッチパネルにて構成されている。また、モニタ２０１は、子機１のカメラ１０１にて撮像された映像信号を表示するためのものであって、例えば、ＬＣＤ、有機ＥＬディスプレイ等の各種の映像表示媒体にて構成されており、このモニタ２０１は、来訪者による子機１からの呼出しを報知するための呼出報知機能も有している。さらに、親機マイク２０２及び親機スピーカ２０３は、居住者が来訪者の間で通話を成立させるための音声信号を送受信するものであり、この親機スピーカ２０３は、来訪者による子機１からの呼出しを報知するための呼出報知機能も有している。
【００１８】
さらに、同図に示す門灯３には、門灯ＬＥＤ３００が備えられている。
【００１９】
次に、本発明の実施例によるテレビドアホン装置の具体的な構成であって、前述の子機１、親機２及び外部機器３の具体的な構成について、図２のブロック図を参照して説明する。
【００２０】
同図に示す子機１には、前述の子機操作部１００、カメラ１０１、子機マイク１０２及び子機スピーカ１０３と、子機音声変調回路１０４、加算回路１０５、子機映像・音声変調回路１０６、子機映像・送話音声フィルタ１０７、子機受話音声フィルタ１０８、子機音声復調回路１０９、子機制御変調回路１１０、子機制御フィルタ１１１、子機制御復調回路１１２、子機直流阻止コンデンサ１１３、子機高周波阻止インダクタ１１４、子機整流回路１１５、子機電源回路１１６及び子機ＣＰＵ１１７とが備えられている。
【００２１】
この子機１において、子機音声変調回路１０４は、子機マイク１０２に入力された来訪者の音声（送話音声）信号について所定のキャリア周波数、例えば、カメラ１０１にて撮像される映像信号が有するベースバンド帯域よりも若干高い例えば、４．５ＭＨｚで変調するためのものである。また、加算回路１０５は、カメラ１０１にて撮像された映像信号と子機音声変調回路１０４からの出力である子機音声変調信号とを加算するためのものである。また、子機映像・音声変調回路１０６は、加算回路１０５からの出力信号について所定のキャリア周波数、例えば、１２ＭＨｚで変調するためのものである。さらに、子機映像・送話音声フィルタ１０７は、子機映像・音声変調回路１０６からの出力信号について所定の周波数帯域、例えば、７〜１７ＭＨｚの映像・音声変調帯域のみを通過させるためのものである。
【００２２】
子機受話音声フィルタ１０８は、親機２から子機・親機ラインＬ1、子記直流阻止コンデンサ１１３を経由して伝送されてくる親機音声変調信号について所定の周波数帯域、例えば、６．４５〜６．５５ＭＨｚの音声周波数帯域のみを通過させるためのものである。また、子機音声復調回路１０９は、子機受話音声フィルタ１０８を通過した親機音声変調信号を復調し、居住者による音声信号を受話音声として子機スピーカ１０３から出力させるためのものである。
【００２３】
子機制御変調回路１１０は、子機ＣＰＵ１１７にて生成される呼出信号又は外部機器３から子機・外部ラインＬ2を経由して伝送され子機ＣＰＵ１１７にて受信される外部機器状態信号について所定のキャリア周波数、例えば、４．５ＭＨｚで変調するためのものである。また、子機制御フィルタ１１１は、子機制御変調回路１１０からの出力信号について所定の周波数帯域、例えば、４．４５〜４．５５Ｈｚの制御周波数帯域のみを通過させるとともに、親機２から子機・親機ラインＬ1、子記直流阻止コンデンサ１１３を経由して伝送されてくる応答変調信号又は外部機器制御変調信号について所定の周波数帯域、例えば、４．４５〜４．５５ＭＨｚの制御周波数帯域のみを通過させるためのものである。さらに、子機制御復調回路１１２は、子機制御フィルタ１１１を通過した応答変調信号又は外部機器制御変調信号を復調して子機ＣＰＵ１１７に送出するためのものである。
【００２４】
子機直流阻止コンデンサ１１３は、子機映像・送話音声フィルタ１０７から子機・親機ラインＬ1に送出される子機音声変調信号、映像変調信号又は子機音声・映像加算変調信号の直流成分と、子機・親機ラインＬ1を経由して親機２から伝送されてくる親機音声変調信号、応答変調信号又は外部機器制御変調信号の直流成分と、子機制御フィルタ１１１から子機・親機ラインＬ1に送出される呼出変調信号又は外部機器状態変調信号の直流成分とをそれぞれ遮断するためのものである。
【００２５】
子機高周波阻止インダクタ１１４は、子機・親機ラインＬ1を経由して親機２から供給されてくる直流電源の高周波成分を遮断するためのものである。また、子機整流回路１１５は、子機高周波阻止インダクタ１１４を経由した直流電源を整流し、子機電源回路１１６に供給するとともに、子機・外部ラインＬ2を経由して門灯３の後述する門灯電源回路３０２に供給するためのものである。さらに、子機電源回路１１６は、子機整流回路１１５を経由した直流電源を受電し、当該子機の構成各部に供給するためのものである。
【００２６】
子機ＣＰＵ１１７は、当該子機の構成各部を制御するとともに、子機・外部ラインＬ2を経由して門灯３の後述する門灯ＣＰＵ３０３との間で外部機器制御信号、外部機器状態信号の送受信を行うためのものである。
【００２７】
また、同図に示す親機２には、前述の親機操作部２００、モニタ２０１、親機マイク２０２及び親機スピーカ２０３と、親機映像・受話音声フィルタ２０４、親機映像・音声復調回路２０５、親機映像フィルタ２０６、親機受話音声フィルタ２０７、親機音声復調回路２０８、親機音声変調回路２０９、親機送話音声フィルタ２１０、親機制御変調回路２１１、親機制御フィルタ２１２、親機制御復調回路２１３、親機直流阻止コンデンサ２１４、親機電源回路２１５、親機高周波阻止インダクタ２１６及び親機ＣＰＵ２１７とが備えられている。
【００２８】
この親機２において、親機映像・受話音声フィルタ２０４は、子機１から子機・親機ラインＬ1、親機直流阻止コンデンサ２１４を経由して伝送されてくる子機音声変調信号、映像変調信号又は親機映像・音声加算変調信号について所定の周波数帯域、例えば、７〜１７ＭＨｚの映像・音声変調帯域のみを通過させるためのものである。また、親機映像・音声復調回路２０５は、親機映像・受話音声フィルタ２０４を通過した子機音声変調信号、映像変調信号又は親機映像・音声加算変調信号を復調するためのものである。
【００２９】
親機映像フィルタ２０６は、親機映像・音声復調回路２０５からの出力である子機音声変調信号、映像信号又は親機映像・音声加算変調信号について所定の周波数帯域、例えば、７〜１７ＭＨｚの映像周波数帯域のみを通過させ、映像信号を抽出することにより、子機１のカメラ１０１にて撮像された映像信号をモニタ２０１に表示させるためのものである。
【００３０】
親機受話音声フィルタ２０７は、親機映像・音声復調回路２０５からの出力である子機音声変調信号、映像信号又は親機映像・音声加算変調信号について所定の周波数帯域、例えば、４．４５〜４．５５ＭＨｚの音声周波数帯域のみを通過させ、子機音声変調信号を抽出するためのものである。また、親機音声復調回路２０８は、親機受話音声フィルタ２０７を通過した子機音声変調信号について復調し、来訪者による音声信号を受話音声として親機スピーカ２０３から出力させるためのものである。
【００３１】
親機音声変調回路２０９は、親機マイク２０２に入力された居住者の音声（送話音声）信号について所定のキャリア周波数、例えば、６．５Ｈｚで変調するためのものである。また、親機送話音声フィルタ２１０は、子機音声変調回路２０９からの出力である子機音声変調信号について所定の周波数帯域、例えば、６．４５〜６．５５ＭＨｚの音声周波数帯域のみを通過させるためのものである。
【００３２】
親機制御変調回路２１１は、親機ＣＰＵ２１４にて生成される応答信号又は外部機器制御信号について所定のキャリア周波数、例えば、４．５ＭＨｚで変調するためのものである。また、親機制御フィルタ２１２は、親機制御変調回路２１１からの出力である応答変調信号又は外部機器制御変調信号について所定の周波数帯域、例えば、４．４５〜４．５５ＭＨｚの制御周波数帯域のみを通過させるとともに、子機１から子機・親機ラインＬ1、親機直流阻止コンデンサ２１４を経由して伝送されてくる呼出変調信号又は外部機器状態変調号について所定の周波数帯域、例えば、４．４５〜４．５５ＭＨｚの制御周波数帯域のみを通過させるためのものである。さらに、親機制御復調回路２１３は、親機制御フィルタ２１２を通過した呼出変調信号又は外部機器状態変調号を復調して親機ＣＰＵ２１７に送出するためのものである。
【００３３】
親機直流阻止コンデンサ２１４は、子機・親機ラインＬ1を経由して子機１から伝送されてくる子機音声変調信号、映像変調信号、子機映像・送話音声変調信号、呼出変調信号又は外部機器変調信号の直流成分と、親機送話音声フィルタ２１０から子機・親機ラインＬ1に送出される親機音声変調の直流成分と、親機制御フィルタ２１２から子機・親機ラインＬ1に送出される応答変調信号又は外部機器制御変調信号の直流成分と後述する親機電源回路２１５からの電源供給成分とをそれぞれ遮断するためのものである。
【００３４】
親機電源回路２１５は、商用電源４を整流・平滑して得られる直流電源を生成し、当該親機の構成各部に供給するためのものである。また、親機高周波阻止インダクタ２１６は、親機電源回路２１５にて生成された直流電源の高周波成分を遮断して子機・親機ラインＬ1に供給するためのものである。さらに、親機ＣＰＵ２１７は、当該親機の構成各部を制御するためのものである。
【００３５】
さらに、同図に示す門灯３には、前述の門灯ＬＥＤ３００と、ＬＥＤ駆動回路３０１、門灯電源回路３０２及び門灯ＣＰＵ３０３とが備えられている。
【００３６】
この門灯３において、ＬＥＤ駆動回路３０１は、門灯ＬＥＤ３００を点灯又は消灯するためのものである。また、門灯電源回路３０２は、子機１の子機整流回路１１５から子機・外部ラインＬ2を経由して供給されてくる直流電源を受電し、当該外部機器の構成各部に供給するためのものである。さらに、門灯ＣＰＵ３０３は、門灯ＬＥＤ３００の状態を示す外部機器状態信号を生成し、子機・外部ラインＬ2を経由して子機１の子機ＣＰＵ１１７に送出するとともに、この子機ＣＰＵ１１７から子機・外部ラインＬ2を経由して伝送されてくる外部機器制御信号を受信してＬＥＤ駆動回路３０１を動作制御するためのものである。
【００３７】
このように構成された本発明の実施例によるテレビドアホン装置において、以下、具体的な動作について説明する。
【００３８】
図１、図２に示す子機１及び親機２が待受状態、例えば、子機１から親機２への呼出しがなく通話を成立していない状態において、親機２の親機電源回路２１５は、商用電源４を整流・平滑して得られる直流電源を待受電源として、当該親機の構成各部に供給しており、この待受電源は、親機高周波阻止インダクタ２１６、子機・親機ラインＬ1、子機１の子機高周波阻止インダクタ１１４を経由して子機整流回路１１５に供給される。
【００３９】
子機１の子機整流回路１１５は、前述の電源供給路を経由して高周波成分が除去された待受電源を整流することにより、この整流された待受電源を子機電源回路１１６から当該子機の構成各部・回路に供給することができる。なお、子機整流回路１１５は、同様に整流した待受電源を、子機・外部ラインＬ2を経由して門灯３の門灯電源回路３０２に供給することにより、門灯電源回路３０２は、受電した待受電源を当該門灯の構成各部・回路に供給することもできる。
【００４０】
次に、前述の待受状態において、来訪者が居住者を呼出すにあたり子機１の子機操作部１００を使用して所定の呼出操作を行うと、この操作を検出した子機ＣＰＵ１１７にて呼出信号が生成される。また、子機ＣＰＵ１１７にて生成された呼出信号は、子機制御変調回路１１０、子機制御フィルタ１１１、子機直流阻止コンデンサ１１３、子機・親機ラインＬ1、親機２の親機直流阻止コンデンサ２１４、親機制御フィルタ２１２、親機制御復調回路２１３を経由して適宜な信号処理がなされた後、親機ＣＰＵ２１７に伝送される。
【００４１】
親機２の親機ＣＰＵ２１７は、子機１の子機ＣＰＵ１１７から前述の信号伝送路を経由して伝送されてきた呼出信号をもとに来訪者からの呼出しがあることを検出し、その旨の呼出報知について例えば、親機スピーカ２０３からの呼出音や音声メッセージ等の出力、モニタ２０１への文字メッセージや絵データ等の表示を利用して行うことができる。また、親機ＣＰＵ２１７は、親機電源回路２１５を制御して前述の待受電源よりも高い電圧レベルの動作電源を生成させ、この動作電源を当該親機の構成各部・回路に供給するとともに、親機高周波阻止インダクタ２１６、子機・親機ラインＬ1、子機１の子機高周波阻止インダクタ１１４を経由して子機整流回路１１５に供給する。
【００４２】
子機１の子機整流回路１１５は、前述の電源供給路を経由して高周波成分が除去された動作電源を整流する。また、子機電源回路１１６は、親機２の親機ＣＰＵ２１７の制御により親機電源回路２１５にて生成された動作電源であって、子機整流回路１１５にて整流された動作電源を当該子機の構成各部に供給することができる。
【００４３】
次に、前述の動作電源が電源供給されると、子機１のカメラ１０１が能動となり呼出操作を行った来訪者（子機１の周囲近傍の映像を含む。）の映像信号の撮像が開始される。この映像信号は、加算回路１０５、子機映像・音声変調回路１０６、子機映像・送話音声フィルタ１０７、子機直流阻止コンデンサ１１３、子機・親機ラインＬ1、親機２の親機直流阻止コンデンサ２１４、親機映像・受話音声フィルタ２０４、子機映像・音声復調回路２０５、親機映像フィルタ２０６を経由して適宜な信号処理がなされた後、モニタ２０１に伝送されることにより、呼出操作を行った来訪者（子機１の周囲近傍の映像を含む。）の映像信号の表示がモニタ２０１にて開始される。
【００４４】
次に、前述のような呼出報知をもとに来訪者による子機１からの呼出しがあり、この来訪者の映像信号を確認した居住者が親機２の親機操作部２００を使用して所定の応答操作を行うと、この操作を検出した親機ＣＰＵ２１７は応答信号を生成するとともに、親機マイク２０２から親機音声変調回路２０９、親機送話音声フィルタ２１０、親機直流阻止コンデンサ２１４を経由して子機・親機ラインＬ1への信号伝送路と、子機・親機ラインＬ1から親機直流阻止コンデンサ２１４、親機映像・受話音声フィルタ２０４、親機映像・音声復調回路２０５、親機受話音声フィルタ２０７、親機音声復調回路２０８を経由して親機スピーカ２０３への信号伝送路とをそれぞれ形成する。また、親機ＣＰＵ２１７にて生成された応答信号は、親機制御変調回路２１１、親機制御フィルタ２１２を経由して親機直流阻止コンデンサ２１４に伝送され、親機高周波阻止インダクタ２１６を経由して親機電源回路２１５から供給されてきた動作電源に重畳された後、子機・親機ラインＬ1を経由して子機１の子機直流阻止コンデンサ１１３及び子機高周波阻止インダクタ１１４にそれぞれ伝送される。
【００４５】
子機１において、子機直流阻止コンデンサ１１３は、子機・親機ラインＬ1を経由して親機２から伝送されてきた、動作電源が重畳の応答変調信号について、応答変調信号のみを通過させ、子機制御フィルタ１１１、子機制御復調回路１１２を経由して適宜な信号処理を行った後、子機ＣＰＵ１１７に送出する。また、子機高周波阻止インダクタ１１４は、同様に伝送されてきた動作電源が重畳の応答変調信号のうち、動作電源のみを通過させ、子機整流回路１１５から子機電源回路１１６に供給することにより、当該子機において、映像の撮像時・通話成立時に必要とされる動作電源を確保することができる。
【００４６】
子機１の子機ＣＰＵ１１７は、親機２の親機ＣＰＵ２１７から前述の信号伝送路を経由して伝送されてきた応答信号をもとに居住者からの応答があったことを検出し、子機マイク１０２から子機音声変調回路１０４、加算回路１０５、子機映像・音声変調回路１０７、親機映像・送話音声フィルタ１０７、子機直流阻止コンデンサ１１３を経由して子機・親機ラインＬ1への信号伝送路と、子機・親機ラインＬ1から子機直流阻止コンデンサ１１３、子機受話音声フィルタ１０８、子機音声復調回路１０９を経由して子機スピーカ１０３への信号伝送路とをそれぞれ形成する。
【００４７】
ここで、居住者により親機２の親機マイク２０２に入力された親機音声信号は、親機音声変調回路２０９、親機送話音声フィルタ２１０経由して親機直流阻止コンデンサ２１４に伝送され、親機高周波阻止インダクタ２１６を経由して親機電源回路２１５から供給されてきた動作電源に重畳された後、子機・親機ラインＬ1、子機１の子機直流阻止コンデンサ１１３、子機受話音声フィルタ１０８、子機音声復調回路１０９を経由して適宜な信号処理がされた後、子機スピーカ１０３に伝送されることにより、居住者による音声信号が受話音声として子機スピーカ１０３から出力される。
【００４８】
一方、来訪者により子機１の子機マイク１０２に入力された子機音声信号は、子機音声変調回路１０４を経由して加算回路１０５に伝送され、この加算回路１０５にてカメラ１０１からの映像信号と加算された後、子機映像・音声変調回路１０６、子機映像・送話音声フィルタ１０７、子機直流阻止コンデンサ１１３、子機・親機ラインＬ1、親機２の親機直流阻止コンデンサ２１４、親機映像・音声フィルタ２０４、親機映像・音声復調回路１０６を経由して適宜な信号処理がなされた後、親機映像フィルタ２０６及び親機受話音声フィルタ２０７にそれぞれ伝送される。
【００４９】
親機２において、親機受話音声フィルタ２０７は、親機映像・音声復調回路２０５からの出力信号について音声周波数帯域のみを通過させ、親機音声復調回路２０８を経由して復調させた子機音声信号を親機スピーカ２０３に送出することにより、来訪者による音声信号が受話音声として親機スピーカ２０３から出力される。また、親機映像フィルタ２０６は、親機映像・音声復調回路２０５からの出力信号について映像周波数帯域のみを通過させ、モニタ２０１に送出することにより、通話成立時における来訪者（子機１の周囲近傍の映像を含む。）の映像信号をモニタ２０１に表示させることができる。したがって、居住者にとっては、来訪者の映像信号を確認しつつ、来訪者との間の通話を成立させることができる。
【００５０】
次に、前述のように親機２のモニタ２０１に表示されている来訪者の映像信号の視認性が低い場合や夜間帯の場合等において、居住者が親機操作部２００を使用して門灯３の門灯ＬＥＤ３００を点灯させるための所定の点灯操作を行うと、この操作を検出した親機ＣＰＵ２１７にて外部機器制御信号が生成される。また、親機ＣＰＵ２１７にて生成された外部機器制御信号は、親機制御変調回路２１１、親機制御フィルタ２１２を経由して親機直流阻止コンデンサ２１４に伝送され、親機高周波阻止インダクタ２１６を経由して親機電源回路２１５から供給されてきた動作電源に重畳された後、子機・親機ラインＬ1を経由して子機１の子機直流阻止コンデンサ１１３及び子機高周波阻止インダクタ１１４にそれぞれ伝送される。
【００５１】
子機１において、子機直流阻止コンデンサ１１３は、子機・親機ラインＬ1を経由して親機２から伝送されてきた、動作電源が重畳の外部機器制御変調信号について、外部機器制御変調信号のみを通過させ、子機制御フィルタ１１１、子機制御復調回路１１２、子機ＣＰＵ１１７、子機・外部ラインＬ2を経由して適宜な信号処理を行った後、門灯３の門灯ＣＰＵ３０３に送出する。また子機高周波阻止インダクタ１１４は、同様に伝送されてきた動作電源が重畳の応答変調信号のうち、動作電源のみを通過させ、子機整流回路１１５から子機・外部ラインＬ2を経由して門灯３の門灯電源回路３０２に供給する。
【００５２】
門灯３の門灯電源回路３０２は、子機１を経由して親機２から供給されてきた動作電源を当該門灯の構成各部に供給することにより、子機１を経由して親機２から伝送されてきた外部照明制御信号を受信した門灯ＣＰＵ３０３によりＬＥＤ駆動回路３０１が制御されて門灯ＬＥＤ３００を点灯させることができる。
【００５３】
また、居住者による前述の点灯操作が親機２のモニタ２０１への映像信号の出画時に行われた場合には、子機１の子機整流回路１１５から子機電源回路１１６に動作電源を供給することにより、当該子機において、映像の撮像時に必要とされる動作電源を確保することもできる。
【００５４】
なお、前述までの説明では、親機２の親機ＣＰＵ２１７から子機・親機ラインＬ1、子機１、子機・外部ラインＬ2を経由して門灯３の門灯ＣＰＵ３０３に伝送される外部機器制御信号として、門灯ＬＥＤ３００を点灯させる当該制御信号を適用したが、この態様に限定されるものではない。例えば、親機２の親機操作部２００を使用して門灯ＬＥＤ３００の明るさや発光色を調整することもできる。この操作を検出した親機ＣＰＵ２１７は、明るさの調整レベルのデータを付加した外部機器制御信号を生成し、前述の点灯用の外部機器制御信号と同一の信号伝送路を経由して門灯３の門灯ＣＰＵ３０３に送出することにより、この外部機器制御信号を受信した門灯ＣＰＵ３０３がＬＥＤ駆動回路３０１を制御して、点灯中の門灯ＬＥＤ３００の明るさや発光色を調整することもできる。
【００５５】
次に、前述のように点灯中、又は明るさや発光色が調整されて点灯中である門灯３の門灯ＬＥＤ３００の状態は、門灯ＣＰＵ３０３にて検出することができる、この門灯ＣＰＵ３０３は、検出された状態データを付加した外部機器状態信号を生成する。また、門灯ＣＰＵ３０３にて生成された外部機器状態信号は、子機・外部ラインＬ2、子機１の子機ＣＰＵ１１７、子機制御変調回路１１０、子機制御フィルタ１１１、子機直流阻止コンデンサ１１３、子機・親機ラインＬ1、親機２の親機直流阻止コンデンサ２１４、親機制御フィルタ２１２、親機制御復調回路２１３を経由して適宜な信号処理がなされた後、親機ＣＰＵ２１７に伝送される。
【００５６】
親機２の親機ＣＰＵ２１７は、門灯３の門灯ＣＰＵ３０３から子機・外部ラインＬ2、子機１、子機・親機ラインＬ1を経由して伝送されてきた外部機器状態信号をもとに門灯３の門灯ＬＥＤ３００の状態を検出し、その旨の報知について例えば、親機スピーカ２０３からの音声メッセージ等の出力、モニタ２０１への文字メッセージや絵データ等の表示を利用して行うことができる。
【００５７】
なお、前述までの説明では、門灯３の門灯３０３にて生成される外部機器状態信号として、門灯ＬＥＤ３００の状態を示す当該状態信号を適用したが、この態様に限定されるものではない。例えば、人体の存在を感知する人感センサを門灯３に設け、この人感センサの動作を示す当該状態信号や、この人感センサの動作に連動して点灯又は消灯する門灯ＬＥＤ３００の状態を示す当該状態信号を適用することもできる。
【００５８】
本発明のテレビドアホン装置においては、特定の実施の形態をもって説明してきたが、この形態に限定されるものでなく、本発明の効果を奏する限り、これまで知られた如何なる構成の当該装置であっても採用できるということはいうまでもないことである。
【００５９】
具体的に、本発明の実施例においては、子機・外部ラインＬ2を経由して子機１に接続される外部機器として門灯３を適用したが、この態様に限定されるものではない。例えば、子機１と同様に屋外に設置される外部機器であって、屋外の温度を計測するための温度計、屋外の所定の監視エリア内における不審者等の存在を検知するための人感センサ、屋外の天気を検知するための気象センサ、屋外に設置される郵便ポストや宅配ボックスへの荷物等の投函を検知するセンサ、屋外に設置される玄関扉の電気錠、屋内に設置されるテンキー等のアクセスコントロール等の各種の外部機器３を適用し、これらの外部機器３を、親機２の親機電源回路２１５にて生成され、子機・親機ラインＬ1、子機１、子機・外部ラインＬ2を経由して供給されてくる直流電源で動作させ、また、親機ＣＰＵ２１７にて生成される外部機器制御信号についても、子機・親機ラインＬ1、子機１、子機・外部ラインＬ2を経由して外部機器３に伝送して当該外部機器を制御することができ、さらに、外部機器３の状態を示す外部機器状態信号についても、（ＣＰＵ３０３から）子機・外部ラインＬ2、子機１、子機・親機ラインＬ2を経由して親機２の親機ＣＰＵ２１７に伝送することもできる。
【符号の説明】
【００６０】
１……子機
１００……子機操作部
１０１……カメラ
１０２……子機マイク
１０３……子機スピーカ
１１０……子機制御変調回路
１１２……子機制御復調回路
１１５……子機整流回路
１１６……子機電源回路
１１７……子機ＣＰＵ
２……親機
２００……親機操作部
２０１……モニタ
２０２……親機マイク
２０３……親機スピーカ
２１１……親機制御変調回路
２１３……親機制御復調回路
２１５……親機電源回路
２１７……親機ＣＰＵ
３……門灯（外部照明機器）
３０３……門灯ＣＰＵ（外部ＣＰＵ）
４……商用電源
Ｌ1……子機・親機ライン
Ｌ2……子機・外部ライン
【図１】
2012119746.tif 000003
【図２】
2012119746.tif 000004